(57)【要約】【課題】窓障子をすべり出し式に開閉し、通常は安全のため第１開放位置まで開放できるようにすると共に清掃時にはさらに広く開放した第２開放位置まで窓障子を開放できるようにした窓障子の開閉装置において、充分な剛性と安全性を有し、簡単に操作できるようにする。【解決手段】スライダ（４）が摺動するトラック（３）に、第１開放位置及び第２開放位置にそれぞれ対応する位置に孔(22),(23) を設ける。この孔(22),(23) から掛止面(20),(21) がそれぞれ突出するように第１ストッパ(18)と第２ストッパ(19)を形成し、各ストッパ(18),(19) をトラック（３）に固定される操作部本体(14)に枢着する。上記第１ストッパ(18)と第２ストッパ(19)は操作板(27)を移動させることにより選択的に掛止面(20),(21) が上記孔(22),(23) から出没するように操作される。【選択図】        図２
2004197394.tif 000002
【特許請求の範囲】
【請求項１】
窓枠に取り付けられるトラックと該トラックに摺動可能に嵌合するスライダと該トラック及びスライダと窓障子を連絡するアームを有し該窓障子をすべり出し式に開閉する際上記スライダが前進若しくは後退するようにした窓障子の開閉装置において、窓障子を途中まで開放した第１開放位置で該窓障子がそれ以上開放方向へ移動しないよう上記スライダの前進を阻止する第１ストッパと、上記第１開放位置より広く窓障子が開放した第２開放位置で窓障子が閉鎖方向へ移動しないよう上記スライダの後退を阻止する第２ストッパと、上記第１ストッパ及び第２ストッパを上記トラックの側面に形成した孔から上記スライダの走行路に選択的に出没させる操作手段を具備することを特徴とする窓障子の開閉装置。
【請求項２】
上記第１ストッパ及び第２ストッパは上記トラックの側面に取り付けられる操作部本体に設けられ、該操作部本体内には上記第１ストッパ及び第２ストッパの出没操作をする操作板が設けられている請求項１に記載の窓障子の開閉装置。
【請求項３】
上記第１ストッパ及び第２ストッパは先端に形成した掛止面が上記スライダの走行路に突出する方向に付勢されている請求項１または２に記載の窓障子の開閉装置。
【請求項４】
上記第１ストッパ及び第２ストッパは案内突起を有し、上記操作板に第１ストッパの案内突起が摺動する第１摺動面と第２ストッパの案内突起が摺動する第２摺動面を形成し、該操作板をトラックに沿って摺動させた際上記第１ストッパ及び第２ストッパの掛止面を選択的に没入させるよう上記第１摺動面と第２摺動面を反対方向に傾斜する傾斜面に形成した請求項２または３に記載の窓障子の開閉装置。
【請求項５】
上記第１ストッパの先端には上記スライダが第２開放位置から後退する際に該第１ストッパを押し下げて通過できるよう傾斜案内面が形成され、上記第２ストッパの先端には上記スライダが第１開放位置から前進する際に該第２ストッパを押し下げて通過できるよう傾斜案内面が形成されている請求項４に記載の窓障子の開閉装置。
【請求項６】
上記操作板には、該操作板を第１ストッパ側若しくは第２ストッパ側に移動させた際、その位置に仮保持するための保持機構が設けられている請求項２ないし５のいずれかに記載の窓障子の開閉装置。
【発明の詳細な説明】
【０００１】
【発明の属する技術分野】
本発明は、窓障子をすべり出し式に開閉できるようにした窓障子の開閉装置に関し、特に通常は制限された範囲内で窓障子を開閉できると共に清掃等の際は広く開放できるようにした窓障子の開閉装置に係るものである。
【０００２】
【従来の技術】
窓障子をすべり出し式に開閉できるようにした４バーヒンジや６バーヒンジが用いられているが、そのようなヒンジにより窓障子を開閉すると広く開放しすぎて子供の転落事故等を起こすおそれがあるので、通常は安全のため子供の頭が通過しない程度の開き角度で窓障子が止まるようにストップ機構を設け、窓障子の外面の汚れを清掃する際には、窓障子を大きく開く必要があるから、上記ストップ機構を解除してさらに開放できるようにした清掃機能付の６バーヒンジ等が知られている（例えば特許文献１参照）。
【０００３】
上記のように窓障子をすべり出し式に開閉できるようにした６バーヒンジ等は、窓枠に設けられるトラックと、該トラックに摺動可能に設けられたスライダと、該トラック及びスライダを窓障子に連絡するアーム等を有しており、操作の簡便性と充分な剛性や安全性が要求されるが、従来の清掃機能付ヒンジでは比較的薄く形成されている上記スライダやトラック内に上記ストップ機構を組み込んであるので、ストッパ部分に充分な剛性が得られていない。そのため、強風や突風が吹いたり、過負荷が作用した場合には、ストップ機構が解除されたり、破損するおそれがあり、安全性に問題があった。その上、窓障子を広く開いて清掃するとき、窓障子が閉鎖位置に復帰しないよう片手で窓障子を押えながら作業をしなければならないので、作業性も良くなかった。
【０００４】
【特許文献１】
特公昭５６−２５８６号公報（第２図、第１７図）
【０００５】
【発明が解決しようとする課題】
本発明の解決課題は、窓障子をすべり出し式に開閉しストップ機構を具備する窓障子の開閉装置において、操作が簡単で、充分な剛性を有し、誤作動がなく、安全で清掃作業も容易にできる清掃機能付の窓障子の開閉装置を提供することである。
【０００６】
【課題を解決するための手段】
本発明によれば、窓枠に取り付けられるトラックと該トラックに摺動可能に嵌合するスライダと該トラック及びスライダと窓障子を連絡するアームを有し該窓障子をすべり出し式に開閉する際上記スライダが前進若しくは後退するようにした窓障子の開閉装置において、窓障子を途中まで開放した第１開放位置で該窓障子がそれ以上開放方向へ移動しないよう上記スライダの前進を阻止する第１ストッパと、上記第１開放位置より広く窓障子が開放した第２開放位置で窓障子が閉鎖方向に移動しないよう上記スライダの後退を阻止する第２ストッパと、上記第１ストッパ及び第２ストッパを上記トラックの側面に形成した孔から上記スライダの走行路に選択的に出没させる操作手段を具備することを特徴とする窓障子の開閉装置が提供され、上記課題を解決することができる。
【０００７】
【発明の実施の形態】
窓障子をすべり出し式に開閉するヒンジとして、図１，２に示す実施例では６バーヒンジが示されており、該ヒンジ（１）は、公知のように、窓枠（２）に取り付けられるトラック（３）と、該トラック（３）に摺動可能に嵌合するスライダ（４）と、窓障子（５）に取り付ける取付座（６）と上記トラック（３）及びスライダ（４）を連絡するよう各部材に枢着（７）したアーム（８),（９),(10)を有し、窓障子（５）を全閉した際には上記アーム等は重ね合わされ、スライダ（４）はトラック（３）の閉鎖端側(11)に停止している。そして、窓障子（５）を開けると、上記スライダ（４）は停止位置からトラックに設けられた走行路(12)を前進し、該スライダ（４）がトラック（３）に設けた全開ストッパ(13)に当る位置まで窓障子（５）を開放することができる。窓障子（５）を閉じる方向へ移動させると、上記スライダ（４）は後退し、上記停止位置で窓障子は全閉する。なお、本発明は図に示す以外の公知の各種６バーヒンジや４バーヒンジ等に適用することができるが、その構成についは要旨ではないので詳述しない。
【０００８】
上記トラック（３）の側面には、操作部本体(14)がねじ等で取り付けられている。該操作部本体(14)は、図３に示すように断面コ字状の補助枠(15)と、軸(16),(17) により該補助枠に枢着された第１ストッパ(18)、第２ストッパ(19)を有している。該第１ストッパ(18)及び第２ストッパ(19)は、先端に掛止面(20),(21) を有し、該掛止面(20),(21) が上記トラック（３）に形成した孔(22),(23) から上記スライダ（４）の走行路(12)に突出するようそれぞればね(24)で付勢されている。なお、該操作部本体(14)の両側には、トラック（３）と窓枠（２）間に空間を生じないよう適宜のスペーサー（図示略）を設けることができるが、窓枠（２）に該操作部本体(14)を収納する空間を形成して該空間に嵌入するようにしてもよい。
【０００９】
上記第１ストッパ(18)及び上記孔(22)は、安全のため子供の頭が通過しない程度窓障子を途中まで開放した第１開放位置で該窓障子がそれ以上開放方向へ移動しないよう上記スライダ（４）の前進を阻止する位置に設けられる。また、上記第２ストッパ(19)及び孔(23)は、清掃等のため上記第１開放位置より広く窓障子を開放した第２開放位置で該窓障子が閉鎖方向へ移動しないよう上記スライダ（４）の後退を阻止できる位置に設けられている。
【００１０】
なお、上記第１ストッパ(18)には、スライダ（４）が第２開放位置から後退する際に該第１ストッパ(18)を押し下げて通過することができるよう傾斜案内面(25)が形成され、第２ストッパ(19)にはスライダ（４）が第１開放位置から前進する際に該第２ストッパ(19)を押し下げて通過することができるよう傾斜案内面(26)が形成されている。
【００１１】
上記操作部本体(14)には、上記第１ストッパ(18)と第２ストッパ(19)を上記トラック（３）の孔(22),(23) から上記スライダ（４）の走行路(12)に選択的に出没させる操作手段が設けられている。該操作手段は、種々に構成することができ、図に示す実施例では、上記補助枠(15)に沿って摺動可能に操作板(27)を設け、該操作板により上記第１ストッパ(18)及び第２ストッパ(19)を出没操作できるようにしてある。
【００１２】
図３に示すように、上記第１ストッパ(18)及び第２ストッパ(19)は補助枠(15)の前板(28)に形成した開口(29)から上記掛止面(20),(21) が突出する幅に形成され、幅方向の両側には案内突起(30),(31) が突設されている。一方、上記操作板(27)はほぼ中央部に上記補助枠(15)の側面開口(32)から延出するつまみ(33)を有し、該つまみ(33)が形成された操作板本体(34)は補助枠内にほぼ内接する幅を有し、両端には上記各ストッパ(18),(19) を挿入可能な間隔をあけて脚片(35),(35),(36),(36) が延設されている。
【００１３】
上記脚片(35),(35) の下面には上記第１ストッパ(18)の案内突起(30)が当って摺接するように第１摺動面(37)が形成され、上記脚片(36),(36) の下面には上記第２ストッパ(19)の案内突起(31)が当って摺接するように第２摺動面(38)が形成されており、各脚片の先端には上記案内突起(30),(31) に当接する止片(39)が形成されている。
【００１４】
上記第１摺動面(37)と第２摺動面(38)は、上記操作板(27)をトラック（補助枠）に沿って摺動させた際、上記第１ストッパ(18)及び第２ストッパ(19)の案内突起(30),(31) を押し下げて掛止面(20),(21) を選択的にトラックの孔から補助枠内に没入させるよう反対方向に傾斜する傾斜面に形成されている。すなわち、図３，５に示すように、上記第１摺動面(37)及び第２摺動面(38)は、操作板本体(34)の中心部側が浅く、脚片の先端の止片(39)側が補助枠の前板(28)方向に深くなるように傾斜している。したがって、浅い部分が案内突起に対応したとき、ばね(24)に抗してストッパ(18),(19) は掛止面(20),(21) がトラックの孔(22),(23) から没入する方向に回動し、深い部分が案内突起に対応したとき、ばね(24)によりストッパ(18),(19) は掛止面(20),(21) がトラックの孔(22),(23) から突出する方向に回動する。
【００１５】
上述したように、ストッパの掛止面が孔から突出しているとき、すなわち摺動面の深い部分が案内突起に対応しているとき、上記ストッパの傾斜案内面を乗り越えて移動するスライダにより該ストッパを押し下げることができるよう該摺動面(37),(38) の深さ及び案内突起(30),(31) の大きさが定められている。なお、上記つまみ(33)を補助枠に沿って移動することにより操作板(27)を移動させているが、移動した位置で該操作板をその位置に仮保持できるよう適宜のばね、ボールその他の部材を組み合わせた公知のクリック運動する保持機構（図示略）を操作板本体(34)の中央部等に設けておくことが好ましい。この保持機構による保持力は、上記ストッパ(18),(19) を付勢しているばね(24)により、上記操作板(27)が移動されない程度とすればよい。また、上記実施例では、つまみと操作板を一体的に成形しているが別体に形成して組み合せるようにしたり、該つまみを回動可能なレバー状に設けて補助枠に枢着し、適宜のカム機構等を介して回動操作で上記操作板を移動させるようにしたり、適宜の押ボタンやカムを組み合せて押ボタン式に上記ストッパ(18),(l9) を選択的に出没させるように構成することもできる。
【００１６】
上記操作手段により操作板(27)を第２ストッパ(19)側に移動させると第１ストッパ(18)の掛止面(20)はトラック（３）の孔(22)から突出すると共に第２ストッパ(19)の掛止面(21)は孔(23)から内方に没入する。また、上記操作板(27)を第１ストッパ(18)側に移動させると、該第１ストッパ(18)の掛止面(20)は孔(22)の内方に没入すると共に第２ストッパ(19)の掛止面(21)は孔(23)から突出する。
【００１７】
而して、上記ヒンジにより窓障子が閉鎖しているとき、上記操作板(27)を第２ストッパ(19)側に移動させておくと、上記第１ストッパ(18)の掛止面(20)がスライダ（４）の走行路(12)に突出するから、窓障子は子供の頭が通過しない程度に開放する第１開放位置まで開放したとき上記スライダ（４）が第１ストッパ(18)の掛止面(20)に当ることによりそれ以上の開放が阻止され、第１開放位置と全閉位置間で窓障子を開閉することができる。
【００１８】
そして、窓障子の外面を清掃等するときには、上記操作板(27)を第１ストッパ(18)側へ移動させると、該第１ストッパ(18)の掛止面(20)はトラックの孔(22)から没入するので、窓障子を全開側へ移動させることができる。該窓障子の移動に伴って上記スライダ（４）は前進し、途中で第２ストッパ(19)の傾斜案内面(26)を乗り越えて移動するが、該第２ストッパ(19)はスライダ（４）が通過した後にばね(24)により掛止面(21)が孔(23)から突出した状態に戻るから、上記スライダ（４）の後退動は阻止され、窓障子は第２ストッパ(19)で規定された第２開放位置と全開ストッパ(13)の間でのみ移動可能である。そのため、清掃中に窓障子が閉鎖方向に移動しないよう片手で押えておく必要がない。
【００１９】
【発明の効果】
本発明は上記のように構成され、窓枠に取り付けられるトラックと該トラックに摺動可能に嵌合するスライダと該トラック及びスライダと窓障子を連絡するアームを有し該窓障子をすべり出し式に開閉する際上記スライダが前進若しくは後退するようにした窓障子の開閉装置において、窓障子を途中まで開放した第１開放位置で該窓障子がそれ以上開放方向へ移動しないよう上記スライダの前進を阻止する第１ストッパと、上記第１開放位置より広く窓障子が開放した第２開放位置で窓障子が閉鎖方向へ移動しないよう上記スライダの後退を阻止する第２ストッパと、上記第１ストッパ及び第２ストッパを上記トラックの側面に形成した孔から上記スライダの走行路に選択的に出没させる操作手段を具備しているので、上記第１ストッパ及び第２ストッパを上記トラックやスライダと別部材に構成して剛性のある構造に形成することができ、安全であり、また第１ストッパと第２ストッパが選択的に出没するから、誤作動を生じるおそれもなく、その上第２開放位置で窓障子は自重で閉鎖しないように保持されるので、清掃作業を両手で行うことができ、作業性もよく、構成が簡単で経済的に得ることができるものである。
【図面の簡単な説明】
【図１】本発明の一実施例を示す正面図。
【図２】分解斜視図。
【図３】操作部本体の分解斜視図。
【図４】操作部本体を示し、（Ａ）は正面図、（Ｂ）は背面図。
【図５】作動状態を示す操作部本体の断面図であって、（Ａ）は第１ストッパが突出している状態、（Ｂ）は第２ストッパが突出している状態の各断面図。
【符号の説明】
１…ヒンジ    ２…窓枠    ３…トラック    ４…スライダ    ５…窓障子
14…操作部本体    15…補助枠    18…第１ストッパ    19…第２ストッパ
20, 21…掛止面    22, 23…孔    25, 26…傾斜案内面    27…操作板
30, 31…案内突起    35, 36…脚片    37…第１摺動面    38…第２摺動面
【図１】
2004197394.tif 000003
【図２】
2004197394.tif 000004
【図３】
2004197394.tif 000005
【図４】
2004197394.tif 000006
【図５】
2004197394.tif 000007